(57)【特許請求の範囲】
【請求項１】
（ａ）端部にねじが形成されたガイド部材と、
（ｂ）ガイド部材挿通孔を備える型締機構支持部材と、
（ｃ）該型締機構支持部材の背面側で前記ガイド部材のねじに螺合する調整ナットと、
（ｄ）該調整ナットの背面側端部に取り付けられるナット回転歯車と、
（ｅ）前記型締機構支持部材の背面に取り付けられ、前記ナット回転歯車と噛み合う同期歯車と、
（ｆ）前記ナット回転歯車と型締機構支持部材の背面との間において、全体が前記同期歯車の外周より外側に位置するように、取付部材によって前記型締機構支持部材の背面に取り付けられ、前記調整ナットを押さえる押板とを有することを特徴とする成形機の型締装置。
【請求項２】
前記押板は、前記ナット回転歯車を取り外すことなく、前記背面に取り付け及び取り外し可能である請求項１に記載の成形機の型締装置。
【請求項３】
前記押板は、外径が前記ナット回転歯車の歯底円の直径より小さい環状板である請求項１又は２に記載の成形機の型締装置。
【請求項４】
前記ガイド部材、調整ナット、ナット回転歯車及び押板は、それぞれ、複数であり、前記同期歯車を回転させると、すべての調整ナットが等量だけ回転し、前記型締機構支持部材がすべてのガイド部材に対して等量だけ移動させられる請求項１〜３のいずれか１項に記載の成形機の型締装置。
【発明の詳細な説明】
【０００１】
【発明の属する技術分野】
本発明は、成形機の型締装置に関するものである。
【０００２】
【従来の技術】
従来、射出成形機等の成形機においては、加熱シリンダ内において加熱され、溶融させられた樹脂を高圧で射出して金型装置のキャビティ空間に充填（てん）し、該キャビティ空間内において樹脂を冷却し、固化させることによって成形品を成形するようになっている。
【０００３】
そのために、前記金型装置は固定金型及び可動金型から成り、型締装置によって前記可動金型を進退させ、前記固定金型に対して接離させることによって、型開閉、すなわち、型閉じ、型締め及び型開きを行うことができるようになっている。そして、前記型締装置は、一般に、固定金型を保持する固定プラテン及び可動金型を保持する可動プラテンを有し、該可動プラテンを進退させる開閉装置としてのトグル機構が配設され、該トグル機構は、トグルサポートに取り付けられた電動モータ、油圧シリンダ等を駆動することによって作動させられる。
【０００４】
ところで、射出成形機においては、固定金型が取り付けられる固定プラテンがフレームに固定されているが、金型装置の厚さはそれぞれ相違するので、金型装置を交換する度に金型装置の厚さに合わせて前記型締装置の位置を調整する必要がある。そして、前記固定プラテンと型締装置のトグルサポートとは、複数本、例えば、４本のタイバーによって結合され、相対的に位置決めされているので、前記型締装置の位置を調整する場合、前記トグルサポートをタイバーに沿って移動させる。
【０００５】
この場合、前記トグルサポートを４本のタイバーに対して均等に移動させる必要がある。そのため、４本のタイバーの外周にねじを形成し、該ねじにそれぞれ螺（ら）合する４つのナットを前記トグルサポートに取付け、前記ナットを均等に回転させて、前記トグルサポートを移動させるようになっている。
【０００６】
図２は従来のトグルサポートの側面図、図３は従来の図２におけるＡ矢視図である。
【０００７】
図において、５１は図示されないトグル機構を支持するトグルサポートであり、図示されないフレーム上の図における横方向に移動可能に取り付けられる。また、５２は、前記フレームに固定された図示されない固定プラテンと前記トグルサポート５１との間に架設された複数、例えば、４本のタイバーである。なお、該タイバー５２の図示されない右端は、前記固定プラテンに固定されている。
【０００８】
そして、前記トグルサポート５１には、複数、例えば、４つのタイバー挿通孔５４が形成され、前記タイバー５２の図２における左端が、それぞれの前記タイバー挿通孔５４に挿入される。なお、前記トグルサポート５１の図２における左側面のほぼ中心部には、図示されないクロスヘッドを移動させてトグル機構を作動させるための電気モータ、油圧シリンダ等の型締用駆動源６６が取り付けられる。
【０００９】
ここで、それぞれの前記タイバー５２は図２における左端の外周にねじが形成されたねじ部５３を有し、調整ナット５５が前記ねじ部５３に螺合される。前記調整ナット５５はトグルサポート５１の図２における左側面に形成されたナット用凹部５９に嵌（は）まり込み、さらに、図２における左側から、押板５６によってトグルサポート５１に押し付けられる。なお、前記押板５６は固定ボルト５７によって、トグルサポート５１の図２における左側面に固定される。これにより、前記調整ナット５５は前記トグルサポート５１に回転可能に、かつ、タイバー５２の軸方向に移動不能に取り付けられる。
【００１０】
また、それぞれの前記調整ナット５５には、ナット回転歯車６１が歯車固定ボルト６２によって固定される。一方、トグルサポート５１の図２における左側面には同期歯車６３が回転可能に取り付けられる。そして、該同期歯車６３は、図３に示されるように、４つの前記ナット回転歯車６１の中心に配設され、それぞれの該ナット回転歯車６１と噛（か）み合っている。
【００１１】
なお、前記トグルサポート５１の図２における左側面には、同期歯車駆動装置６５が取り付けられる。該同期歯車駆動装置６５は、図示されない電動モータと該電動モータの回転軸に取り付けられた駆動歯車とを有し、前記同期歯車６３の周囲に配設される。そして、前記駆動歯車は同期歯車６３と噛み合っているので、前記同期歯車駆動装置６５を作動させると、前記同期歯車６３が回転させられる。
【００１２】
これにより、前記同期歯車駆動装置６５を作動させると、同期歯車６３が回転し、それぞれのナット回転歯車６１が回転させられ、該ナット回転歯車６１が取り付けられた調整ナット５５が回転する。そして、タイバー５２は固定プラテンに取り付けられ回転不能なので、前記調整ナット５５が回転することによって、該調整ナット５５はタイバー５２の軸方向に移動する。そのため、調整ナット５５が取り付けられているトグルサポート５１が前記タイバー５２の軸方向に移動させられ、前記型締装置の位置が調整される。
【００１３】
なお、同期歯車６５の回転によって回転する４つの調整ナット５５の回転数は、すべて等しいので、前記トグルサポート５１は４本の前記タイバー５２に沿って均等に移動させられる。
【００１４】
【発明が解決しようとする課題】
しかしながら、前記従来の射出成形機の型締装置においては、調整ナット５５やタイバー５２をトグルサポート５１から取り外したり取り付けるための作業が複雑で工程数が多いので、型締装置の点検や修理に時間がかかってしまう。
【００１５】
前記調整ナット５５及びタイバー５２は、射出成形機において最も高い負荷を受ける部材に含まれる。そのため、定期的に点検をしたり修理をする必要がある。特に運転条件が過酷な場合は、頻繁に点検をしたり修理をする必要がある。そして、前記調整ナット５５及びタイバー５２の点検をしたり修理をするためには、トグルサポート５１から取り外す必要がある。
【００１６】
この場合、次の（１）〜（７）の順に各部材を取り外す必要がある。
（１）型締用駆動源６６をトグルサポート５１から取り外す。
（２）同期歯車駆動装置６５をトグルサポート５１から取り外す。
（３）同期歯車６３をトグルサポート５１から取り外す。
（４）４つのナット回転歯車６１を調整ナット５５から取り外す。
（５）押板５６をトグルサポート５１から取り外す。
（６）調整ナット５５をタイバー５２から取り外す。
（７）タイバー５２をトグルサポート５１から取り外す。
【００１７】
また、前記調整ナット５５及びタイバー５２の点検及び修理が終了した後は、前記（１）〜（７）の逆の順に各部材を取り付ける必要がある。
【００１８】
ここで、前記同期歯車６３は、大径であり、外周近傍が押板５６の一部と重なっているため、該押板５６を取り外すために、取り外す必要がある。また、前記型締用駆動源６６は、同期歯車６３の中心近傍と重なっているため、該同期歯車６３を取り外すために、取り外す必要がある。そのため、前記調整ナット５５及びタイバー５２の点検及び修理の際には、前記（４）〜（７）の作業を行う前に前記（１）〜（３）の作業を行うことが必要となる。
【００１９】
しかし、前記型締用駆動源６６及び同期歯車６３は、重量があるので、トグルサポート５１への着脱作業に時間がかかる。さらに、前記型締用駆動源６６がサーボモータの回転力をプーリやタイミングベルトを介してボールねじに伝達する形式のものである場合、複雑な取付構造を有する前記プーリやタイミングベルトも取り外す必要があるので、長時間かかってしまう。
【００２０】
また、前記型締用駆動源６６及び同期歯車６３を取り付ける場合、重量物を正確に位置決めしながら取り付ける必要があるため、作業がより困難になり、時間がかかってしまう。
【００２１】
本発明は、前記従来の成形機の型締装置の問題点を解決して、型締用駆動源及び同期歯車を取り外すことなく、調整ナット及びタイバーを取り外すことができるようにして、調整ナット及びタイバーの点検をしたり修理をするための作業が容易で時間がかかることのない成形機の型締装置を提供することを目的とする。
【００２２】
【課題を解決するための手段】
そのために、本発明の成形機の型締装置においては、端部にねじが形成されたガイド部材と、ガイド部材挿通孔を備える型締機構支持部材と、該型締機構支持部材の背面側で前記ガイド部材のねじに螺合する調整ナットと、該調整ナットの背面側端部に取り付けられるナット回転歯車と、前記型締機構支持部材の背面に取り付けられ、前記ナット回転歯車と噛み合う同期歯車と、前記ナット回転歯車と型締機構支持部材の背面との間において、全体が前記同期歯車の外周より外側に位置するように、取付部材によって前記型締機構支持部材の背面に取り付けられ、前記調整ナットを押さえる押板とを有する。
【００２３】
本発明の他の成形機の型締装置においては、さらに、前記押板は、前記ナット回転歯車を取り外すことなく、前記背面に取り付け及び取り外し可能である。
【００２４】
本発明の更に他の成形機の型締装置においては、さらに、前記押板は、外径が前記ナット回転歯車の歯底円の直径より小さい環状板である。
【００２５】
本発明の更に他の成形機の型締装置においては、さらに、前記ガイド部材、調整ナット、ナット回転歯車及び押板は、それぞれ、複数であり、前記同期歯車を回転させると、すべての調整ナットが等量だけ回転し、前記型締機構支持部材がすべてのガイド部材に対して等量だけ移動させられる。
【００２６】
【発明の実施の形態】
以下、本発明の実施の形態について図面を参照しながら詳細に説明する。なお、本発明の型締装置は、各種の装置や用途に適用することができるものであるが、本実施の形態においては、説明の都合上、射出成形機に適用した場合について説明する。
【００２７】
図４は本発明の実施の形態における射出成形機の概略図である。
【００２８】
図において、３１はフレーム、３２は該フレーム３１に固定された固定プラテン、１１は該固定プラテン３２との間に所定の距離を置いて、前記フレーム３１に対して移動自在に配設された型締機構支持部材としてのトグルサポートである。
【００２９】
また、１２は前記固定プラテン３２とトグルサポート１１との間に架設された複数、例えば、４本のガイド部材としてのタイバーであり、図における右端は固定部材３８によって固定プラテン３２に固定される。なお、前記トグルサポート１１は前記タイバー１２に沿って移動する。
【００３０】
そして、３５は前記固定プラテン３２と対向して配設され、前記タイバー１２に沿って進退（図における左右方向に移動）自在に配設された可動金型支持装置としての可動プラテンである。さらに、前記固定プラテン３２における可動プラテン３５と対向する金型取付面３３に固定金型３４が取り付けられ、また、前記可動プラテン３５における前記固定プラテン３２と対向する金型取付面３６に可動金型３７が取り付けられる。
【００３１】
また、前記可動プラテン３５の後端 (図における左端) には図示されないエジェクタピンを移動させるための駆動装置を取り付けるようにしてもよい。
【００３２】
そして、前記可動プラテン３５とトグルサポート１１との間には、型締機構としてのトグル機構４０が、前記トグルサポート１１の背面（図における左側の面）には射出成形機の型締用駆動源２６が取り付けられる。該型締用駆動源２６は、油圧シリンダ、サーボモータ等を有し、被駆動部材としてのクロスヘッド４５を進退させることによって、トグル機構４０を作動させることができる。
【００３３】
これにより、前記可動プラテン３５が前進（図における右方向に移動）させられて型閉じが行われるとともに、型締用駆動源２６による推進力にトグル倍率を乗じた型締力が発生させられ、該型締力によって型締めが行われる。本実施の形態においては、トグル機構４０を作動させることによって型締力を発生させるようにしているが、トグル機構４０を使用することなく、型締用駆動源２６による推進力をそのまま型締力として可動プラテン３５に伝達することもできる。
【００３４】
前記トグル機構４０は、前記クロスヘッド４５に対して揺動自在に支持されたトグルレバー４２、前記トグルサポート１１に対して揺動自在に支持されたトグルレバー４１、及び、前記可動プラテン３５に対して揺動自在に支持されたトグルアーム４３から成り、前記トグルレバー４１、４２間、及び、トグルレバー４１とトグルアーム４３との間がそれぞれリンク結合される。
【００３５】
次に、前記トグルサポート１１について説明する。
【００３６】
図１は本発明の実施の形態におけるトグルサポートの側面図であり図４のＢ部拡大図、図５は本発明の実施の形態における図１のＣ矢視図、図６は本発明の実施の形態における他のトグルサポートの側面図である。
【００３７】
図において、１４はトグルサポート１１の隅に形成された複数、例えば、４つのガイド部材挿通孔としてのタイバー挿通孔であり、前記トグルサポート１１を図１における左右に貫通させる。そして、前記タイバー挿通孔１４には、前記タイバー１２の図１における左端が、それぞれ挿入される。なお、前記トグルサポート１１の図１における左側面のほぼ中心部には、前記型締用駆動源２６が取り付けられる。
【００３８】
そして、それぞれの前記タイバー１２は図１における左端の外周にねじが形成されたねじ部１３を有し、調整ナット１５が前記ねじ部１３に螺合される。前記調整ナット１５は、前記タイバー挿通孔１４におけるトグルサポート１１の背面側に大径部として形成されたナット用凹部１９に嵌まり込み、さらに、前記背面側から、押板１６によってトグルサポート１１に押し付けられる。なお、前記押板１６は、複数、例えば、６本の取付部材としての押板固定ボルト１７によって、トグルサポート１１の背面に固定される。
【００３９】
ここで、図１に示されるように、前記調整ナット１５は、外周の中心近傍に鍔（つば）状の突出部を備える概略円筒状の形状を有する。一方、前記ナット用凹部１９には段差部が形成され、前記調整ナット１５の突出部の図１における右側の側面が前記ナット用凹部１９の段差部の面と対向する。また、前記調整ナット１５の突出部の背面側の側面は、前記押板１６によって背面側から押さえられる。これにより、前記調整ナット１５は前記トグルサポート１１に回転可能に、かつ、タイバー１２の軸方向に移動不能に取り付けられ、前記調整ナット１５にトグルサポート１１から加えられるスラスト荷重は、前記ナット用凹部１９の段差部の面及び押板１６によって受け止められる。
【００４０】
ここで、前記押板１６は、中心に前記調整ナット１５の背面側端部が通過する孔を備える環状の板部材であり、その外径が後述されるナット回転歯車２１の歯底円の直径より小さいものであることが望ましいが、いかなる形状のものであってもよい。この場合、前記押板１６は、その全体が後述される同期歯車駆動装置２５の外周よりも外側に位置するものであれば、すなわち、前記背面側から見て、同期歯車２３が押板１６と重なることがないような形状及び大きさであればよい。さらに、前記押板１６は単一の部材でなく、複数の部材から成るものであってもよい。
【００４１】
また、それぞれの前記調整ナット１５の背面側の端部には、ナット回転歯車２１が複数、例えば、４本の歯車固定ボルト２２によって固定される。なお、前記ナット回転歯車２１及び調整ナット１５の回転中心軸は一致している。ここで、前記ナット回転歯車２１の歯底円の直径は、押板１６の直径よりも大きいことが望ましい。そして、前記ナット回転歯車２１には、図５に示されるように、複数の概略楕円状の作業孔２４が形成されている。該作業孔２４は、前記押板固定ボルト１７のそれぞれに対応する位置に形成され、前記ナット回転歯車２１を取り外さずに、前記押板固定ボルト１７の取り付け、取り外し、締付力の調整等の作業ができるようになっている。なお、前記歯車固定ボルト２２は、押板固定ボルト１７よりも前記回転軸に近い位置に取り付けられる。
【００４２】
そして、トグルサポート１１の図１における左側面には同期歯車２３が図示されない軸受けを介して回転可能に取り付けられる。そして、前記同期歯車２３は、図５に示されるように、４つの前記ナット回転歯車２１の中心に配設され、それぞれのナット回転歯車２１と噛み合っている。
【００４３】
また、前記トグルサポート１１には、図５に示されるように、同期歯車駆動装置２５が取り付けられる。該同期歯車駆動装置２５は、図示されない電動モータと該電動モータの回転軸に取り付けられた駆動歯車とを有し、前記同期歯車２３の周囲に配設される。そして、前記駆動歯車は同期歯車２３と噛み合っているので、前記同期歯車駆動装置２５を作動させると、前記同期歯車２３が回転させられる。
【００４４】
これにより、前記同期歯車駆動装置２５を作動させると、同期歯車２３が回転し、該同期歯車２３に噛み合っているナット回転歯車２１がそれぞれ回転させられ、該ナット回転歯車２１が取り付けられた調整ナット１５が回転させられる。
【００４５】
そして、タイバー１２は、図４における右端が固定プラテンに取り付けられているので、回転不能となっている。このため、前記調整ナット１５は、回転することによって、タイバー１２の軸方向に移動する。これにより、前記調整ナット１５が取り付けられているトグルサポート１１全体が前記タイバー１２の軸方向に移動させられ、前記型締装置の位置が調整される。
【００４６】
なお、４つの前記ナット回転歯車２１の直径及び歯数はすべて等しいので、同期歯車２３の回転によって回転させられる４つの前記ナット回転歯車２１及び調整ナット１５の回転数は、すべて等しい。そして、４つの前記調整ナット１５に形成されたねじ及び４本のタイバー１２のねじ部１３に形成されたねじもすべて等しい。そのため、４つの前記調整ナット１５のタイバー１２に対する移動量も等しいので、前記トグルサポート１１は４本の前記タイバー１２に沿って均等に移動させられる。
【００４７】
次に、前記構成の型締装置の動作を説明する。
【００４８】
まず、型締用駆動源２６が作動し、クロスヘッド４５を前進させることによって、トグル機構４０を作動させる。これにより、可動プラテン３５が前進させられて可動金型３７が固定金型３４に接合されて型閉じが行われ、次いで、型締めが行われる。続いて、図示されない射出装置から樹脂が高圧で射出され、前記可動金型３７及び固定金型３４のキャビティ空間に充填される。そして、前記樹脂が冷却し、固化することによって成形品が成形される。すると、前記型締用駆動源２６が作動し、クロスヘッド４５を後退させることによって、可動プラテン３５が後退させられて可動金型３７が固定金型３４から離間して、型開きが行われる。続いて、図示されないエジェクタロッドを前進させると、エジェクタピンが、前記可動金型３７内部のキャビティに突出して成形品をエジェクトする。これにより、成形品が取り出される。以上の動作を繰り返すことによって、多数の成形品が成形される。
【００４９】
そして、異なる成形品を成形する時には、金型装置としての可動金型３７及び固定金型３４を交換する。ここで、交換前後で金型装置の厚さが異なる時は、交換後の金型装置の厚さに合わせて、型締め装置の位置を調整する必要がある。この場合、トグルサポート１１をタイバー１２の軸方向に移動させることによって、前記型締装置の位置を調整する。
【００５０】
まず、同期歯車駆動装置２５を作動させて、同期歯車２３を回転させる。すると、該同期歯車２３に噛み合っているすべてのナット回転歯車２１がそれぞれ等量だけ回転させられ、それぞれのナット回転歯車２１が取り付けられた調整ナット１５が等量だけ回転させられる。そして、前記調整ナット１５が回転することにより、該調整ナット１５が取り付けられているトグルサポート１１が前記タイバー１２の軸方向に移動させられ、型締装置の位置が調整される。すなわち、前記トグルサポート１１はすべてのタイバー１２に対して等量だけ移動させられる。
【００５１】
ここで、前記調整ナット１５及びタイバー１２のねじ部１３に形成されたねじのピッチ、並びに、ナット回転歯車２１、同期歯車２３及び同期歯車駆動装置２５の駆動歯車の歯数に基づいて、トグルサポート１１の移動量と同期歯車駆動装置２５の回転数との関係をあらかじめ算出することができる。そのため、前記同期歯車駆動装置２５の回転数を調整することによって、前記トグルサポート１１を所定量だけ移動させることができる。
【００５２】
なお、射出成形機において、前記調整ナット１５及びタイバー１２は、最も高い負荷を受ける部材に含まれるので、定期的に点検をしたり修理をする必要がある。そして、前記調整ナット１５及びタイバー１２の点検をしたり修理をするには、前記調整ナット１５及びタイバー１２をトグルサポート１１から取り外す必要がある。
【００５３】
この場合、次の（１）〜（４）の順に各部材を取り外す。
（１）歯車固定ボルト２２を取り外して、すべてのナット回転歯車２１を調整ナット１５から取り外す。
（２）押板固定ボルト１７を取り外して、押板１６をトグルサポート１１から取り外す。この場合、ナット回転歯車２１の歯底円の直径は、押板１６の直径よりも大きいので、同期歯車２３が押板１６と重なることがない。そのため、同期歯車２３取り外すことなく、前記押板１６を取り外すことができる。
（３）調整ナット１５を回転させてタイバー１２のねじ部１３から取り外す。
（４）タイバー１２をタイバー挿通孔１４から抜き出して、トグルサポート１１から取り外す。
【００５４】
これにより、前記調整ナット１５及びタイバー１２の点検をしたり修理をすることができる。そして、前記調整ナット１５及びタイバー１２の点検及び修理が終了した後は、前記（１）〜（４）の逆の順に各部材を取り付ける。
【００５５】
このように、本実施の形態においては、調整ナット１５に取り付けられたナット回転歯車２１の歯底円の直径が、調整ナット１５を固定するための押板１６の直径よりも大きく、同期歯車２３が押板１６と重なることがない。
【００５６】
このため、調整ナット１５及びタイバー１２の点検、修理等の場合、前記同期歯車２３を取り外すことなく前記押板１６を取り外して、前記調整ナット１５及びタイバー１２をトグルサポート１１から取り外すことができる。したがって、重量がある同期歯車２３や型締用駆動源２６をトグルサポート１１から取り外す作業が不要となるので、調整ナット１５及びタイバー１２の点検や修理のための作業が容易となり、かつ、時間がかかることがない。
【００５７】
また、前記型締用駆動源２６が、例えば、サーボモータの回転力をプーリやタイミングベルトを介してボールねじに伝達する形式のものであって、複雑な取付構造を有する場合でも、前記型締用駆動源２６を取り外す必要がない。そのため、調整ナット１５及びタイバー１２の点検や修理のための作業が型締用駆動源２６の構造に影響されることがない。
【００５８】
なお、前記実施の形態においては、トグルサポートにナット用凹部を設けたが、図６に示されるように、トグルサポートの背面側に凹部を設けずに、押板に調整ナットの突出部を蓋（おお）う切欠部を設けるようにしてもよい。また、前記の実施の形態においては、可動プラテンが横方向（水平方向）に移動する横置き型の射出成形機について説明したが、本発明の可動金型支持装置は、可動プラテンが縦方向（垂直方向）に移動する縦置き型の射出成形機にも適用することができる。さらに、本発明の可動金型支持装置は、射出成形機の他に、ダイキャストマシーン、ＩＪ封止プレス等の成形機にも適用することができる。
【００５９】
また、本発明は前記実施の形態に限定されるものではなく、本発明の趣旨に基づいて種々変形させることが可能であり、それらを本発明の範囲から排除するものではない。
【００６０】
【発明の効果】
以上詳細に説明したように、本発明によれば、成形機の型締装置においては、端部にねじが形成されたガイド部材と、ガイド部材挿通孔を備える型締機構支持部材と、該型締機構支持部材の背面側で前記ガイド部材のねじに螺合する調整ナットと、該調整ナットの背面側端部に取り付けられるナット回転歯車と、前記型締機構支持部材の背面に取り付けられ、前記ナット回転歯車と噛み合う同期歯車と、前記ナット回転歯車と型締機構支持部材の背面との間において、全体が前記同期歯車の外周より外側に位置するように、取付部材によって前記型締機構支持部材の背面に取り付けられ、前記調整ナットを押さえる押板とを有する。
【００６１】
この場合、同期歯車等を取り外すことなく、調整ナット及びガイド部材を取り外すことができるようにして、調整ナット及びガイド部材の点検をしたり修理をするための作業が容易で時間がかかることがない。
【図面の簡単な説明】
【図１】本発明の実施の形態におけるトグルサポートの側面図であり図４のＢ部拡大図である。
【図２】従来のトグルサポートの側面図である。
【図３】従来の図２におけるＡ矢視図である。
【図４】本発明の実施の形態における射出成形機の概略図である。
【図５】本発明の実施の形態における図１のＣ矢視図である。
【図６】本発明の実施の形態における他のトグルサポートの側面図である。
【符号の説明】
１１    トグルサポート
１２    タイバー
１４    タイバー挿通孔
１５    調整ナット
１６    押板
１７    押板固定ボルト
１９    ナット用凹部
２１    ナット回転歯車
２３    同期歯車
２４    作業孔
【図１】
0003703746.tif 000002
【図２】
0003703746.tif 000003
【図３】
0003703746.tif 000004
【図４】
0003703746.tif 000005
【図５】
0003703746.tif 000006
【図６】
0003703746.tif 000007